(57)【要約】【課題】骨盤底の知覚を主目的とした、より容易且つ安価に手段を提供する。【解決手段】ベース座面３と、該ベース座面３の前後に延びる中心軸線に沿って前記ベース座面３から隆起し且つ前記ベース座面の前方に突出している隆起面１１と、を備えた骨盤底知覚座面構造１を提供する。【選択図】図１
2007282697.tif 000002
【特許請求の範囲】
【請求項１】
ベース座面と、該ベース座面の前後に延びる中心軸線に沿って前記ベース座面から隆起し且つ前記ベース座面の前方に突出している隆起面と、を備えることを特徴とする骨盤底知覚座面構造。
【請求項２】
前記ベース座面を上面に含むベース座部及び該ベース座部の前縁中央部から前方に突出する突出部を有する板状クッションと、細長い山形形状を有し、前記中心軸線に沿って一端を前記突出部上に置き且つ他端を前記ベース座部上に置いて配置されることによって前記隆起面を形成している山形クッションと、前記板状クッションの下面に取り付けられた、前記板状クッションの水平断面と略同形の底板と、を備える、請求項１に記載の骨盤底知覚座面構造を有する骨盤底知覚クッション。
【請求項３】
前記底板には、前記中心軸線を対象として左右に２つの孔が設けられていることを特徴とする請求項２に記載の骨盤底知覚クッション。
【請求項４】
前記板状クッション、前記山形クッション及び前記底板の、側部及び上部が、前記板状クッション及び前記山形クッションの材料よりも柔軟な材料で形成された外包材によって包囲されていることを特徴とする請求項２又は３に記載の骨盤底知覚クッション。
【請求項５】
前記外包材の外側を覆う部分が第１の材料で作られ、前記底板の裏面を覆う部分が前記第１の材料よりも伸縮性が低い第２の材料で作られたカバーによって覆われていることを特徴とする請求項４に記載の骨盤底知覚クッション。
【請求項６】
請求項１に記載の骨盤底知覚座面構造又は請求項２〜５のいずれか１項に記載の前記骨盤底知覚クッションを座席に有することを特徴とする骨盤底知覚椅子。
【発明の詳細な説明】
【技術分野】
【０００１】
本発明は、骨盤底を知覚するための骨盤底知覚座面構造、骨盤底知覚クッション及び骨盤底知覚椅子に関する。
【背景技術】
【０００２】
骨盤底とは、骨盤の内部において膀胱や尿道、子宮や直腸などの臓器を下から支える、筋肉や線維組織で形成された部分である。この骨盤底は、出産の際にいきむことによって収縮してしまうが、そうすると産道も収縮し、難産になる傾向がある。したがって、この骨盤底を意識的に緩めることができれば、比較的楽に出産を行うことができる。しかし、骨盤底を緩めるためには、骨盤底を知覚して意識する必要があり、これは、骨盤底を全く意識したことがない者にとって容易ではない。
【０００３】
一方、腹圧性尿失禁などの治療のため骨盤底の筋肉を訓練するための装置は存在する。この装置は、肛門及び直腸内に挿入可能な挿入部を有する測定部と、当該測定部と処理・表示部とを着脱可能に接続する接続部と、を備え、挿入部の圧力を測定して表示するものである（例えば特許文献１参照）。この装置によれば、骨盤底の筋肉を効果的に訓練することができ、それと同時に骨盤底を知覚することもできるようになる。
【特許文献１】特開２００２−１４３１３３
【発明の開示】
【発明が解決しようとする課題】
【０００４】
上述した装置は、骨盤底の筋力を向上させるためには効果的な装置であるが、個人が所有して使用するには高価な装置であり、また使用のためにある程度の準備が必要である。
【０００５】
そこで、本発明は  骨盤底の知覚を主目的とした、より容易且つ安価な手段を提供することを目的とする。
【課題を解決するための手段】
【０００６】
本発明は、ベース座面（３）と、該ベース座面（３）の前後に延びる中心軸線（Ｃ）に沿って前記ベース座面（３）から隆起し且つ前記ベース座面（３）の前方に突出している隆起面（１１）と、を備えた骨盤底知覚座面構造（１）を提供することにより上記課題を解決する。
【０００７】
この骨盤底知覚座面構造を有する座面上に、隆起面を股の間に挟むようにして座ると、隆起面が前方に突出しているため、隆起面に跨ったまま脚を下に降ろすことができる。そして隆起面がベース座面より高い位置にあることから隆起面によって骨盤底に適度な接触圧が与えられる。この状態で肛門など意識できるところに力を入れることにより骨盤底に力を入れる感覚が把握でき、これを繰り返すことで、徐々に骨盤底を知覚することができるようになる。
【０００８】
また、本発明は、ベース座面（３）を上面に含むベース座部（４）及び該ベース座部（４）の前縁中央部から前方に突出する突出部（５）を有する板状クッション（６）と、細長い山形形状を有し、前記中心軸線（Ｃ）に沿って一端（９）を前記突出部上に置き且つ他端（１０）を前記ベース座部（４）上に置いて配置されることによって前記隆起面（１１）を形成している山形クッション（７）と、前記板状クッション（６）の下面に取り付けられた、前記板状クッション（６）の水平断面と略同形の底板（１２）と、を備える、骨盤底知覚座面構造を有する骨盤底知覚クッション（２）を提供することにより上記目的を達成する。
【０００９】
この骨盤底知覚クッションに、隆起面を股の間に挟むようにして座ると、隆起部が前方に突出しているため、隆起面に跨ったまま脚を下に降ろすことができる。そして隆起面がベース座面より高い位置にあることから隆起面によって骨盤底に適度な接触圧が与えられる。この状態で肛門など意識できるところに力を入れることにより骨盤底に力を入れる感覚を把握でき、これを繰り返すことで、徐々に骨盤底を知覚することができるようになる。また、骨盤底知覚座面構造は骨盤底知覚クッションの形で提供されるので、自宅の椅子やソファーの上などにおいて手軽に使用することができる。更に底板が備えられているため、骨盤底知覚クッションの形状が、骨盤底知覚クッションが置かれる椅子やソファーの形状や柔軟性により変形することが防止されるので、本発明の骨盤底知覚クッションが骨盤底に与える圧力が変化することが防止される。
【００１０】
前記底板（１２）には、中心軸線を対象として左右に２つの孔（３０）を設けてもよい。これによると、この骨盤底知覚クッションに座った際に、この孔の部分に左右の坐骨結節部が沈み、山形クッションとの相乗効果により骨盤底に対してより適切な接触圧を与えることができる。
【００１１】
前記板状クッション（６）、前記山形クッション（７）及び前記底板（１２）の側部及び上部を、前記板状クッション（６）及び前記山形クッション（７）の材料よりも柔軟な材料で形成された外包材（１３）によって包囲してもよい。これによると、板状クッションと山形クッションとの全体の凹凸が外包材で緩和されるので、より良好な座り心地を得ることができる。また、外包材は板状クッションや山形クッションより柔軟であるので、山形クッションにより形成された隆起面が骨盤底に与える効果を減少させることがない。
【００１２】
前記骨盤底知覚クッション（２）を、外包材（１３）の外側を覆う部分が第１の材料（１４ａ）で作られ、底板（１２）の裏面を覆う部分が前記第１の材料よりも伸縮性が低い第２の材料（１４ｂ）で作られたカバー（１４）によって覆ってもよい。これによると、骨盤底知覚クッション全体がカバーにより被覆されているため、各部材を保護することができ、また、外観を装飾することが可能となる。更に、底板の裏面を覆う第２の材料の伸縮性が低いため、本発明の骨盤底知覚クッションを椅子やソファーの上に置いても比較的ずれにくく、また外包材の外側を覆う第１の材料の伸縮性が高いため、座ったときに座面の形状に合わせてカバーが伸びて座り心地がよい。
【００１３】
また、上述の骨盤底知覚座面構造（１）又は骨盤底知覚クッション（２）は、これを座席に有する骨盤底知覚椅子の形で提供することもできる。この場合、より使用が容易となる。
【００１４】
なお、以上の説明では本発明の理解を容易にするために添付図面の参照符号を括弧書きにて付記したが、それにより本発明が図示の形態に限定されるものではない。
【発明の効果】
【００１５】
本発明の骨盤底知覚座面構造、骨盤底知覚クッション及び骨盤底知覚椅子は、上述のように簡単な構成であるため、安価に製造することができる。また単に座るだけで骨盤底を知覚することができるようになる。そして骨盤底を知覚することができるようになると、出産時において、いきむことによって産道が収縮しがちな場合であっても、骨盤底を意識的に緩めることができ、産道を広がり易くすることができるため、医学的に健康な出産を導くことができる。更に、骨盤底を知覚することによって、褥婦や出産経験者が遭遇する出産による下腹部の緩み、膀胱の下垂に起因する腹圧性尿失禁を治すための骨盤底トレーニングも行いやすくなる。
【発明を実施するための最良の形態】
【００１６】
図１は、本発明の一形態の骨盤底知覚座面構造を有する骨盤底知覚クッションの上面図であり、図２は図１のII−II線に沿った断面図、図３は図１のIII−III線に沿った断面図、図４は図１のIV−IV線に沿った断面図である。なお本明細書において、使用者が本発明の骨盤底知覚クッションに座った場合に、使用者が向く方向を前方、使用者の背が向く方向を後方とする。
【００１７】
図示したように、本形態の骨盤底知覚座面構造１を有する骨盤底知覚クッション２は、上面がベース座面３を形成するベース座部４と、ベース座部４の前縁部から前方に突き出す突出部５を有する板状クッション６を備える。また、板状クッション６の上には山形クッション７が貼着されている。山形クッション７は、細長い山形形状であって、底面８の一端９は突出部５と輪郭が同形であり、底面８の他端１０の幅が一端９の幅よりも狭くなっている。そして、山形クッション７を、ベース座面３の中央軸線Ｃに沿ってその一端９を突出部５上に置き且つ他端１０をベース座部４の中央部に置いて配置することにより、ベース座面３の前縁部から前方に突出し且つ上方に隆起し、隆起部の後端が前縁部を越えてベース座面内まで延びている隆起面１１が形成される。図２〜図４に示したように、板状クッション６の下面には底板１２が貼着され、底板１２の底面を除いた、板状クッション６及び山形クッション７の側面及び上面は、外包材１３によって包囲され、更にその上からは、底板１２の底面も含めて全体がカバー１４で覆われている。
【００１８】
板状クッション６は、発泡ウレタンチップを成型したもので、一定の厚さを有している。この板状クッション６の一部であるベース座部４は略矩形形状を有する。そして、その側面は、後方において左右に延びて図１及び図２で示したように後側面２０を形成し、後側面２０の両端は所定の半径の円弧に沿って約９０°前方に曲がり、図１及び図４で示したように、後側面２０と直角な左右側面２１を形成している。更に左右側面２１の前端は、所定の半径の円弧に沿って内側に曲がり図１で示したように前側面２２を形成するが、その前側面２２は、左右の側面２１と直角ではなく、やや前方を向いている。そしてその前側面２２は、板状クッション６の中心軸線Ｃから所定の距離となる位置で所定半径の円弧に沿って角度を変えて更に前方に突出し、一定の距離延びた後、その端部は滑らかに中央軸線Ｃに向い、左右から延びてきた前側面２２は連結する。そしてこの前方に突き出た部分は、ベース座面３の前縁部から前方に突出す突出部５を形成している。
【００１９】
ここで、本形態において、ベース座面３の左右の側面間２１の距離は約３９０ｍｍ、後側面２０と突出部５の先端との距離は約３５０ｍｍである。また、左右の側面２１が内側に折れ曲がる位置は後側面２０から約１６９ｍｍの位置であり、前側面２２が前方に突き出すように向く中央軸線Ｃからの所定の距離は約６５ｍｍである。これらの長さは、いずれも外包材１３を含まない状態の長さであり、数人のモニタによる数種類の骨盤底知覚クッションの使用の結果、最適と判断された値である。ただし、これらの値に限定されるものではなく、例えば、使用者の国籍や年齢によっても最適な値は異なる。
【００２０】
板状クッション６上に配置される山形クッション７も板状クッション６と同じ発泡ウレタンチップを成型したものである。また、図２で示したように、山形クッション７の長手方向の断面は、細長い矩形の上部２つの角部を所定の半径で丸くした形であり、前方の高さは後方の高さより若干高い。このように、前方の高さを後方より高くしたのは、骨盤底知覚クッション２に座った際に、滑り落ちることを防止するためである。また、特に妊婦の使用が考えられることから、滑り落ちる不安感を低減させるためでもある。なお、図３及び図４で示したように、短手方向の断面は、矩形の上部２つの角部を所定の半径で丸くした形である。
【００２１】
ここで、本形態において山形クッション７は、長さ約２１６ｍｍ、最高高さ約４０ｍｍ、最低高さ約３５ｍｍ、最大幅は１３０ｍｍとした。これらの値も、上述の板状クッション６と同様にモニタリングによって最適と決定された値であるが、これに限定されるものではなく、例えば、使用者の国籍や年齢によって異なる。
【００２２】
板状クッション６の下に配置される底板１２は、板状クッション６の水平断面と略同形であり、本形態の骨盤底知覚クッション２を家庭の椅子やソファーなどの上に置いて使用する際に、骨盤底知覚クッション２が変形しないように、ある程度堅い合板等の材料で形成されている。そして、この底板１２には、図示したように、板状クッション６の中央軸線Ｃから等しい距離に、２つの長孔３０が並列して設けられている。この長孔３０は、左右６０ｍｍで前後８０ｍｍの長方形の前後に、直径４０ｍｍの半円を結合させた形状を有し、両者の中心間距離は約１４４ｍｍである。この１４４ｍｍは、モニタに、感圧紙を付けた座面に腰掛けてもらって５分間静かにペダリングしてもらい、最も圧力の高かった左右の点の間の距離から定めたものである。この距離は坐骨結節点間の距離に対応し、実測値は１２０〜１４０ｍｍであるが、この値より若干大きい方が快適に感じるため、長孔の中心間距離は１４４ｍｍとした。また、この底板１２の厚さは約９ｍｍである。そして長孔３０が設けられた部分は、臀部に接触した際に痛くないように面取りされて角が丸くなっている。なお、これらの値もこれに限定されるものではなく、例えば、使用者の国籍や年齢等によって異なる。
【００２３】
板状クッション６、山形クッション７及び底板１２の側部及び上部を覆う外包材１３は、板状クッション６及び山形クッション７の材料である発泡ウレタンチップよりも柔軟なウレタン材料で形成されている。そして、この外包材１３の側面厚さは約８ｍｍ、上面の厚さは約１１．５ｍｍである。なお、この外包材１３は山形クッション７の頂部から板状クッション６の角部まで略直線的に延びており、その間において、板状クッション６の上面と外包材１３との間には隙間が存在する。
【００２４】
更にこの外包材１３上から、底板１２の底面も含めて全体を覆うカバー１４は、外包材１３の周囲を覆う第１の材料１４ａと、底板１２の裏面を覆う、第１の材料１４ａと比べて伸縮性の低い第２の材料１４ｂとで作られている。外包材１３の周囲で伸縮性の高い第１の材料１４ａを使用するのは、座ったときに良好なフィット感を得るようにするためであり、底板１２の底部に伸縮性の低い第２の材料１４ｂを使用するのは、座ったときに滑らないようにするためである。
【００２５】
次に、使用方法について説明する。まず、椅子やソファーに本形態の骨盤底知覚クッション２を置いて隆起面１１を股の間に挟むようにして座る。この場合、山形クッション７の前方の高さが後方の高さより若干高いので、本形態の骨盤底知覚クッション２に座った際に、滑り落ちることが防止され、また、滑り落ちる不安感を低減することができ、特に妊婦が使用する場合効果がある。そして上体をやや前傾にするが、この場合、突出部がベース座部４よりも突出し、他の部分がくびれた形状であるため、脚を下に降ろすことができる。また、底板１２には２つの長孔３０が中心間距離を１４４ｍｍとして設けられているため、この長孔３０にちょうど坐骨結節がはまり込み、底板１２に坐骨結節が当たらず、使用しても痛くない。この状態で力を抜くと、隆起面１１によって骨盤底に適度な接触圧が与えられる。そして肛門など意識できるところに力を入れることで骨盤底にも力を入れる感覚が知覚されるようになる。これを、一日２０分程度繰り返すことで、徐々にこの骨盤底知覚クッション２に座っていない状態でも骨盤底の場所を知覚することができるようになる。
【００２６】
以上、本形態の骨盤底知覚クッションは、上述のように簡単な構成であるため、安価に製造することができる。また単に座るだけで骨盤底を知覚することができるようになる。そうすると、出産時において、いきむことによって産道が収縮しがちな場合であっても、骨盤底を意識的に緩めることができるようになる。そして産道を広がり易くすることができ、医学的に健康な出産を導くことができる。更に、骨盤底を知覚することによって、褥婦や出産経験者が遭遇する出産による下腹部の緩み、膀胱の下垂に起因する腹圧性尿失禁を治すための骨盤底トレーニングも行い易くなる。
【００２７】
なお、本発明は、上述した形態に限定されることなく、種々の形態にて実施してよい。例えば、本形態に置いては、椅子やソファーの上に置いて使用する骨盤底知覚クッションの形態として説明したが、これに限定されず、当該骨盤底知覚座面構造を有する椅子の形態であってもよい。この場合、椅子はどのような形態であっても良いが、椅子の脚の数が１本のスツールタイプが座ったときに使用者の脚が当たらず使用しやすい。また、椅子の脚の高さも使用者の脚の長さに合わせて使用可能なように、調整可能とすることが好ましい。
【図面の簡単な説明】
【００２８】
【図１】本発明の一形態の骨盤底知覚座面構造を有する骨盤底知覚クッションの上面図。
【図２】図１のII−II線に沿った断面図。
【図３】図１のIII−III線に沿った断面図。
【図４】図１のIV−IV線に沿った断面図。
【符号の説明】
【００２９】
１      骨盤底知覚座面構造
２      骨盤底知覚クッション
３      ベース座面
４      ベース座部
５      突出部
６      板状クッション
７      山形クッション
１１    隆起面
１２    底板
１４    カバー
１４ａ  第１の材料
１４ｂ  第２の材料
３０    長孔（孔）
Ｃ      中心軸線
【図１】
2007282697.tif 000003
【図２】
2007282697.tif 000004
【図３】
2007282697.tif 000005
【図４】
2007282697.tif 000006